(57)【特許請求の範囲】
【請求項１】
シャーシと、２つ又はそれ以上の電源供給ユニットと、シャーシチャネルと、を備えるサーバラック組立体であって、
前記２つ又はそれ以上の電源供給ユニットは、前記シャーシに収納されるように配置され、各電源供給ユニットは、電源コードを介して配電ユニットと接続され、前記電源コードを収納するように前表面に形成される開口部を有するように配置され、
前記シャーシチャネルは、各電源コードを収納するように前記シャーシに形成され、前記シャーシの長さを実質的に延長し、かつ前記シャーシの内部で非線形、垂直及び水平に変位し、
前記配電ユニットは、前記２つ又はそれ以上の電源供給ユニットから前記シャーシの反対端部である前記シャーシチャネルの末端に設置され、
前記２つ又はそれ以上の電源供給ユニットのそれぞれは、独立して前記シャーシから取り外されると共に、前記電源コードをそれぞれ収納し、前記開口部から前記シャーシチャネルまで延出するように配置される電源供給ユニットチャネルをそれぞれ有することを特徴とする、サーバラック組立体。
【請求項２】
前記２つ又はそれ以上の電源供給ユニットは、水平に隣接され、前記シャーシチャネルは、前記シャーシの幅の少なくとも一部を延長することを特徴とする、請求項１に記載のサーバラック組立体。
【請求項３】
前記シャーシチャネルは、前記シャーシの側壁に沿って形成されることを特徴とする、請求項１に記載のサーバラック組立体。
【請求項４】
前記２つ又はそれ以上の電源供給ユニットのうちの各電源供給ユニットは、ホットスワップ可能なものであることを特徴とする、請求項１に記載のサーバラック組立体。
【請求項５】
サーバラック組立体に収納されるように配置されたシャーシであって、
２つ又はそれ以上の電源供給ユニットと、シャーシチャネルと、を備え、
前記２つ又はそれ以上の電源供給ユニットのうちの各電源供給ユニットは、電源コードを介して配電ユニットと接続され、前記電源コードを収納するように前表面に形成される開口部を有するように配置され、
前記シャーシチャネルは、各電源コードを収納するように前記シャーシに形成され、前記シャーシの長さを実質的に延長し、かつ前記シャーシの内部で非線形、垂直及び水平に変位し、
前記配電ユニットは、前記２つ又はそれ以上の電源供給ユニットから前記シャーシの反対端部である前記シャーシチャネルの末端に設置され、
前記２つ又はそれ以上の電源供給ユニットのそれぞれは、独立して前記シャーシから取り外されると共に、前記電源コードをそれぞれ収納し、前記開口部から前記シャーシチャネルまで延出するように配置される電源供給ユニットチャネルをそれぞれ有することを特徴とする、シャーシ。
【請求項６】
前記２つ又はそれ以上の電源供給ユニットは、水平に隣接され、前記シャーシチャネルは、前記シャーシの幅の少なくとも一部を延長することを特徴とする、請求項５に記載のシャーシ。
【発明の詳細な説明】
【技術分野】
【０００１】
本発明は、電源供給ユニットに関し、特に、フロントアクセス（ｆｒｏｎｔ  ａｃｃｅｓｓ）、ホットスワップ可能な（ｈｏｔ  ｓｗａｐｐａｂｌｅ）電源供給ユニットに関するものである。
【背景技術】
【０００２】
電源供給ユニット（ｐｏｗｅｒ  ｓｕｐｐｌｙ  ｕｎｉｔ，ＰＳＵ）は一般的に、簡単にアクセスするようにシャーシの前部に設けられる。そして、サーバラック組立体における各電源供給ユニットは、各電源供給ユニットをシャーシ及びサーバラック組立体の後部に設置される配電ユニット（ｐｏｗｅｒ  ｄｉｓｔｒｉｂｕｔｉｏｎ  ｕｎｉｔ，ＰＤＵ）とそれぞれ接続される対応の電源コード（ｐｏｗｅｒ  ｃｏｒｄ）を有する。既知のシャーシは、電源コードを後部の配電ユニットから前部の電源供給ユニットにまとめて配線するための内部ケーブルルーティングが提供されるが、それが各電源供給ユニットに対する簡単なメンテや修理の妨げとなる。
【発明の概要】
【０００３】
サーバラック組立体は、シャーシと、シャーシに収納される２つ又はそれ以上の電源供給ユニットとを備える。各電源供給ユニットは、電源コードを介して配電ユニットと接続され、電源コードを収納するように前表面に形成される開口部を有するように配置される。シャーシチャネルは、各電源コードを収納するようにシャーシに形成され、シャーシの長さを実質的に延長することができる。２つ又はそれ以上の電源供給ユニットのそれぞれは、独立してシャーシから取り外されることができる。
【０００４】
サーバラック組立体は、２つ又はそれ以上の電源供給ユニットからシャーシの反対端部に設置される配電ユニットをさらに備えることができる。２つ又はそれ以上の電源供給ユニットは水平に隣接され、シャーシチャネルはシャーシの幅の少なくとも一部を延長することができる。シャーシチャネルは、シャーシの側壁に沿って形成されることができる。シャーシチャネルは、非線形、垂直及び水平に変位することができる。
【０００５】
２つ又はそれ以上の電源供給ユニットは、電源コードをそれぞれ収納し、開口部からシャーシチャネルまで延出するように配置される電源供給ユニットチャネルをそれぞれ有する。２つ又はそれ以上の電源供給ユニットのうちの各電源供給ユニットは、ホットスワップ可能なものである。
【０００６】
本発明に係る各実施例について、添付図面を参照して説明する。
【図面の簡単な説明】
【０００７】
【図１】少なくとも２つの電源供給ユニットを備え、サーバラック組立体に収納されるように配置されるシャーシを示す斜視図である。
【図２】開状態にある蓋体を有するシャーシを示す斜視図である。
【図３】図１のＡ−Ａ線の断面図である。
【図４】サーバラック組立体に収納される複数のシャーシを示す正面図である。
【発明を実施するための形態】
【０００８】
説明の容易さ及び明瞭さのために、適当な場合において、異なる図面で繰り返される参照符号は対応または類似する要素を示すものであると理解されるであろう。さらに、本文に述べる実施例を十分に理解するために、多数の具体的かつ詳細な形態の記載がある。しかしながら、当業者であれば、本文に述べる実施例はこれらの具体的かつ詳細な形態以外でも実施できることを理解されるであろう。他の場合において、ここで説明された本発明に関連する技術的特徴が不明瞭にならないために、他の方法、手順及び構成の詳細は記述されていない。これらの図面は、必ずしも一定の縮尺比で描かれているとは限らず、本発明の詳細及び特徴をより明確に説明するために、いくつかの部分の縮尺比を拡大する場合がある。本明細書は、本文に述べる実施例の範囲に限定されるものと見なすべきではない。
【０００９】
本発明全体を通して用いられるいくつかの定義について、ここに示す。
【００１０】
用語「接続（ｃｏｕｐｌｅｄ）」は、直接的または介装部品を経由して間接的に連結したものと定義され、かつ物理的な連結に限定されない。ここでの連結というのは、物体を恒久的に連結または脱着自在に連結してもよい。用語「実質的に（ｓｕｂｓｔａｎｔｉａｌｌｙ）」は、部品を精確に形成する必要はなく、基本的に特定の寸法、形状または他の実質的に修飾した単語に合致していると定義される。例を挙げて言えば、「実質的な円柱形」とは、円柱に類似することを指すが、真の円柱と幾つかの差異が許容される。用語「含む（ｃｏｍｐｒｉｓｉｎｇ）」とは、「含むが、それに限定されるものではない」ことを指し、具体的に言えば、そのように記述されている組み合わせ、グループ、系列などの部品関係を指すオープンエンドインクルージョンである。
【００１１】
本発明は、シャーシと、シャーシに収納されるように配置される２つ又はそれ以上の電源供給ユニット（ＰＳＵ）とを備えるサーバラック組立体に関するものである。各電源供給ユニットは電源コードを介して配電ユニット（ＰＤＵ）と接続されるように配置され、電源コードを収納するように前表面に形成される開口部を有する。シャーシチャネルは、各電源コードを収納し、シャーシの長さを実質的に延長するように、シャーシに形成されることができる。２つ又はそれ以上の電源供給ユニットのうちの各電源供給ユニットのそれぞれは、独立してシャーシから取り外されることができる。
【００１２】
図示した実施例では、シャーシに複数の記憶装置を収納することが示されるが、他の電子部品を実装することもできる。シャーシは複数の電子部品を収納して接続するように配置され、且つ電子部品は、記憶装置、グラフィックコントローラ（ｇｒａｐｈｉｃ  ｃｏｎｔｒｏｌｌｅｒ）、コンピュータ処理装置、または任意の他の電子部品を含むが、これらに限定されない。複数の電子部品は、配電ユニットから電力を受け取るように、２つ又はそれ以上の電源供給ユニットと接続されることができる。
【００１３】
図１は、２つ又はそれ以上の電源供給ユニット（ＰＳＵ）１０２を収納するように配置されるシャーシ１００を示す図面である。各電源供給ユニット１０２は、電源コード１０６を介して配電ユニット（ＰＤＵ）１０４（図３に示す）と接続されるように配置される。電源供給ユニット１０２は、電源コード１０６を収納するように前表面１１０に形成される開口部１０８を有する。開口部１０８は、電源コード１０６の端部を収納するための適切なサイズを有し、電源コード１０６の端部には、直径が端部の間の電源コード１０６の直径より大きいオスプラグ又はメスプラグを有する。
【００１４】
各電源供給ユニット１０２のそれぞれは、独立してシャーシから取り外されることができる。２つ又はそれ以上の電源供給ユニット１０２は、シャーシ１００の幅にわたって水平に整列させることができる。図１に示すように、シャーシ１００は、隣接される４つの電源供給ユニット１０２を備えるが、この数に限定されない。各電源供給ユニットの前表面１１０に形成される開口部１０８は、電源コード１０６及び電源供給ユニット１０２と他の電源供給ユニット１０２とがそれぞれ互いに独立して取り外され且つ修復することにより、各電源供給ユニット１０２のホットスワップを可能にする。
【００１５】
前表面１１０は、電源コード１０６の一端を収納して接続するように配置される前部プラグ１１２をさらに有することができる。前表面１１０は、デブリ（ｄｅｂｒｉｓ）の進入、例えば、ツールやユーザの指の不注意な挿入を防止するように、冷却ファン１１４及び付属の冷却ファン蓋１１６を有することもできる。
【００１６】
シャーシ１００は、複数の電子部品１１８、例えばストレージ装置を収納するように配置される。少なくとも１つの実施例では、ストレージ装置がハードディスクドライブ（ｈａｒｄ  ｄｉｓｋ  ｄｒｉｖｅ，ＨＤＤ）である。他の実施例では、ストレージ装置がソリッドステートドライブ（ｓｏｌｉｄ  ｓｔａｔｅ  ｄｒｉｖｅｓ，ＳＳＤ）である。複数の電子部品１１８は、シャーシ１００と接続されて、２つ又はそれ以上の電源供給ユニット１０２から電力を受け取る。シャーシ１００における２つ又はそれ以上の電源供給ユニット１０２は、電力を個々の電子部品１１８、電子部品１１８の一部へ供給する、あるいはシャーシ１００のうちの他の電源供給ユニット１０２のための冗長電源供給ユニット１０２を操作するように配置されることができる。
【００１７】
図２を参照し、シャーシ１００は、頂面に設置され、且つ閉位置と開位置との間で変位可能な蓋体１２０をさらに備えることができる。図２において、蓋体１２０は開位置にある。蓋体１２０は、シャーシの内部１２２へのアクセスを提供するために変位することができる。シャーシ１００は、各電源コード１０６のシャーシチャネル１２４を収納するように構成される。シャーシチャネル１２４は、シャーシ１００の長さを実質的に延長する。シャーシチャネル１２４は、水平に隣接する電源供給ユニット１０２を収納するように、シャーシ１００の幅の少なくとも一部を延長することもできる。シャーシ１００は、サーバラック組立体２００との摺動係合（図４に示す）を提供するように、側壁１２６に位置されるレール１３０を有することができる。サーバラック組立体２００との摺動係合を可能にすることにより、シャーシ１００がサーバラック組立体２００から分離することなく、サーバラック組立体の外部に設置されることができる。
【００１８】
シャーシチャネル１２４の一部はシャーシ１００の側壁１２６に沿って形成される。電源コード１０６は非線形なシャーシチャネル１２４に沿って配線されることにより、シャーシで垂直又は水平に変位することができる。
【００１９】
図３は、４つの電源供給ユニット１０２と、シャーシチャネル１２４とを内蔵するシャーシ１００を示す断面図である。シャーシチャネル１２４は、シャーシ１００の幅及びシャーシ１００の長さの一部を実質的に延長する。シャーシチャネル１２４は、電源コード１０６を電源供給ユニット１０２の前表面１１０から後方へ配線するルートである。シャーシ１００は、２つ又はそれ以上の電源供給ユニット１０２から反対端部に設置される配電ユニット１０４を備えることができる。図２に示すように、電源コード１０６は、非線形なシャーシチャネル１２４を介して垂直及び水平に変位することができる。
【００２０】
２つ又はそれ以上の電源供給ユニット１０２のうちの各電源供給ユニットは、各電源コード１０６を収納するように配置される電源供給ユニットチャネル１２８を有することができる。電源供給ユニットチャネル１２８は、開口部１０８からシャーシチャネル１２４まで延出することにより、シャーシ１００における電源コード１０６を電源供給ユニット１０２の前表面１１０からシャーシチャネル１２４へ配線する。
【００２１】
図４は、複数のシャーシ１００を収納するサーバラック組立体２００を示す正面図である。各シャーシ１００は、その中に収納される１つ又は複数の電子部品１１８と、２つ又はそれ以上の電源供給ユニット１０２とを備えることができる。図４に示すように、各シャーシは、水平に隣接する４つの電源供給ユニット１０２を備える。各電源供給ユニット１０２に対応の電源コード１０６は、電源供給ユニット１０２の前表面１１０上に形成される開口部１０８を通過する。各シャーシがサーバラック組立体２００に摺動可能に係合されるため、１つ又は複数の電子部品１１８の電源を切らずにシャーシ１００の修復を実行することができる。
【００２２】
例示的実施例及びその利点はこれまでの説明によって理解されるように、ここに説明された実施例は本発明の単なる好適な実施例であり、本発明の趣旨と範囲から逸脱することなく、またはその利点の全てを犠牲にすることなく、種々の変更を加えることが可能であることは明白である。
【符号の説明】
【００２３】
１００：シャーシ
１０２：電源供給ユニット
１０４：配電ユニット
１０６：電源コード
１０８：開口部
１１０：前表面
１１２：前部プラグ
１１４：冷却ファン
１１６：冷却ファン蓋
１１８：電子部品
１２０：蓋体
１２２：シャーシの内部
１２４：シャーシチャネル
１２６：側壁
１２８：電源供給ユニットチャネル
１３０：レール
２００：サーバラック組立体
【図１】
0006619385.tif 000002
【図２】
0006619385.tif 000003
【図３】
0006619385.tif 000004
【図４】
0006619385.tif 000005